(57)【要約】【課題】遠隔でエレベータ制御盤のプログラム書換を実行した時に、それを誤ってエレベータ制御盤と遠隔監視装置間の伝送異常としてセンター装置に誤報されることを防止することができる。【解決手段】エレベータ制御盤３が、プログラムの書換えを実行する前に、エレベータ制御盤３と遠隔監視装置７との間の伝送異常を検出するための動作を停止させる伝送異常検出停止指示信号を遠隔監視装置７に送出し（Ｓ９）、該プログラムの書換え完了後に、伝送異常を検出するための動作を開始させる伝送異常検出開始指示信号を遠隔監視装置７に送出する（Ｓ１１）、停止指示信号受信から開始指示信号受信までの間は、遠隔監視装置７が伝送異常を検出するための動作を停止させる。【選択図】　　　　図２
2004107044.tif 000002
【特許請求の範囲】
【請求項１】
監視対象のエレベータの制御を行うエレベータ制御盤と、上記エレベータ制御盤と遠隔地に設置されたセンター装置との通信の中継を行う遠隔監視装置とを備えたエレベータ監視システムであって、
上記エレベータ制御盤は、
エレベータを制御するための制御部と、
エレベータの異常などを検出して、その異常情報を上記遠隔監視装置に送出する異常検出部と、
上記センター装置から上記遠隔監視装置を介して自身のプログラムを書換え実行するプログラム書換部とを備え、
上記遠隔監視装置は、
上記エレベータ制御盤から上記異常情報を受信した場合に、上記センター装置に送出する異常情報中継部と、
上記センター装置から、上記エレベータ制御盤のプログラムを書き換えるために該プログラムを受信した場合に、上記エレベータ制御盤に送出する書換プログラム中継部とを備え、
上記エレベータ制御盤が、プログラムの書換えを実行する前に、上記エレベータ制御盤と上記遠隔監視装置との間の伝送異常を検出するための動作を停止させる停止指示信号を上記遠隔監視装置に送出し、該プログラムの書換え完了後に、伝送異常を検出するための上記動作を開始させる開始指示信号を上記遠隔監視装置に送出することを特徴とするエレベータ遠隔監視システム。
【請求項２】
上記遠隔監視装置は、
上記停止指示信号を上記エレベータから受信した時点から時間の計測を開始し、一定時間以内に上記開始指示信号を受信しない場合に、伝送異常を検出するための上記動作を開始する
ことを特徴とする請求項１に記載のエレベータ遠隔監視システム。
【発明の詳細な説明】
【０００１】
【発明の属する技術分野】
この発明はエレベータ遠隔監視システムに関し、特に、エレベータにおいて異常が発生した場合に、異常検出情報を通信回線を介して遠隔場所に設置されたセンター装置に送信するためのエレベータ遠隔監視システムに関するものである。
【０００２】
【従来の技術】
近年、エレベータ制御盤による運転制御は、装置内のマイコン基板上のＲＯＭに組み込まれた制御プログラムをＣＰＵが読み出して実行することにより行っている。そして何らかの理由により制御プログラムをバージョンアップする必要が生じた場合、制御盤をリセットさせて、新しい制御プログラムに交換することにより対応している。
【０００３】
すなわち、制御プログラムのバージョンアップ時においては、例えば、新しい制御プログラムを記憶している新ＲＯＭを搭載した増設用基板をメイン基板のコネクタに取り付け、新ＲＯＭで動かすためのデータを設定し、設定後に、回路を一旦リセットすることにより、バス切り換え装置を新ＲＯＭ上の制御プログラムを動かすように設定し直し、新制御プログラムにより制御が行われる（例えば、特許文献１参照）。なお、新制御プログラムで運転に支障をきたした場合には、旧制御プログラムに切り替えて、新制御プログラムを修正する。
【０００４】
【特許文献１】
特開２００１−２４０３３７号公報（段落［００２５］）
【０００５】
また、他の従来技術として、遠隔監視システムに、エレベータ制御機や設備状態監視装置等の各端末が保守点検作業中であるか否かを判別する保守点検判別手段を設けて、保守点検作業中の端末装置からは、異常検出情報を受信装置に送出しないようにしたものがある（例えば、特許文献２）。当該文献の装置においては、制御プログラムを更新することについては何ら考慮されていない。
【０００６】
【特許文献２】
特開平１０−１９４６２０号公報（第３−４頁、第１図）
【０００７】
【発明が解決しようとする課題】
上記特許文献１に記載の従来のエレベータ制御装置は、以上の様に構成されており、新しい制御プログラムに切り換えるときには、新ＲＯＭを接続し、リセットした後に、新プログラムによりエレベータ制御が行われるので、これを遠隔監視した場合には、エレベータ制御盤の回路が一旦リセットされて、その間はエレベータ制御盤と遠隔監視装置との間の伝送がとだえるため、遠隔監視装置はエレベータ制御盤との通信ができないことを検出して通報してしまうため、通報を受けた場所では、エレベータ制御盤のプログラム書換えでの伝送断なのかエレベータ制御盤の異常による伝送断なのかわからず、また、無駄な通報で混乱を起こしてしまうなどの問題点があった。
【０００８】
上記特許文献２においては、保守点検作業中は異常検出情報が送信されることを阻止することができるが、保守点検判別手段が何かのトラブルによって支障をきたし、保守点検作業が終了したにもかかわらず、それを判別することができない場合には、異常がたとえ発生しても異常検出情報を受信装置に送ることが永遠にできないという問題点があった。
【０００９】
この発明はかかる問題点を解決するためになされたもので、エレベータ制御盤のプログラム書き換えを実行した時に、それを誤ってエレベータ制御盤の伝送異常として誤報されることを防止するエレベータ遠隔監視システムを得ることを目的とする。
【００１０】
【課題を解決するための手段】
この発明は、監視対象のエレベータの制御を行うエレベータ制御盤と、上記エレベータ制御盤と遠隔地に設置されたセンター装置との通信の中継を行う遠隔監視装置とを備えたエレベータ監視システムであって、上記エレベータ制御盤は、エレベータを制御するための制御部と、エレベータの異常などを検出して、その異常情報を上記遠隔監視装置に送出する異常検出部と、上記センター装置から上記遠隔監視装置を介して自身のプログラムを書換え実行するプログラム書換部とを備え、上記遠隔監視装置は、上記エレベータ制御盤から上記異常情報を受信した場合に、上記センター装置に送出する異常情報中継部と、上記センター装置から、上記エレベータ制御盤のプログラムを書き換えるために該プログラムを受信した場合に、上記エレベータ制御盤に送出する書換プログラム中継部とを備え、上記エレベータ制御盤が、プログラムの書換えを実行する前に、上記エレベータ制御盤と上記遠隔監視装置との間の伝送異常を検出するための動作を停止させる停止指示信号を上記遠隔監視装置に送出し、該プログラムの書換え完了後に、伝送異常を検出するための上記動作を開始させる開始指示信号を上記遠隔監視装置に送出するエレベータ遠隔監視システムである。
【００１１】
【発明の実施の形態】
実施の形態１．
以下、この発明の一実施の形態を図について説明する。図１は、本発明のエレベータ遠隔監視システムの構成を示した図である。図１に示すように、監視対象のエレベータ（図示せず）に対して遠隔地に設置されているセンター装置１は、交換機２および遠隔監視装置７を介して、監視対象のエレベータの運転の制御を行っているエレベータ制御盤３に接続されている。遠隔監視装置７内には、エレベータ制御盤３との間の通信のやりとりを行うためのエレベータ制御盤インターフェース回路４と、交換機２との間で通信のやりとりを行うための交換機インターフェース回路５と、これらのインターフェース回路４および５の制御を行うための制御回路６とが設けられており、エレベータ制御盤３とセンター装置１との間の通信の中継を行うとともに、当該通信においての伝送異常の検出も行っている。
【００１２】
図１の構成において、監視対象のエレベータに異常が発生したときの動作について説明する。エレベータにおいて異常が発生すると、異常検出情報がエレベータ制御盤３から出力され、遠隔監視装置７および交換機２を介して、センター装置１まで送信される。
【００１３】
次に、図２に基づいてプログラムの書き換え動作について説明する。センター装置１からの指示で、エレベータ制御盤３のプログラムを書換えようとする時、センター装置１は、まず、交換機２に対して遠隔監視装置７の電話番号をダイヤリングし（手順Ｓ１）、交換機２は遠隔監視装置７に対しセンター装置１からの着信を知らせる信号を送出し（手順Ｓ２）、遠隔監視装置７の制御回路６は交換機インタフェース回路５を介して着信を認知すると応答信号を交換機２に対し送出し（手順Ｓ３）、該応答信号を受信すると交換機２はセンター装置１に応答信号を送出し（手順Ｓ４）、センター装置１と遠隔監視装置７は通信できる状態になる。
【００１４】
次に、センター装置１は、交換機２、遠隔監視装置７の交換機インタフェース回路５、制御回路６およびエレベータ制御盤インタフェース回路４を介して、制御プログラムを書き換えるためのエレベータ制御盤３のプログラムデータを送出し（手順Ｓ５）、エレベータ制御盤３は、該プログラムデータを受信すると、受け取ったことを示す応答信号を、遠隔監視装置７および交換機２を介してセンター装置１に送出する（手順Ｓ６）。センター装置１は、当該プログラムデータでの動作開始を指示する書換指示の信号を同様の経路でエレベータ制御盤３に送出する（手順Ｓ７）。これにより、エレベータ制御盤３は、該書換指示信号を受信したことを示す応答信号を同様の経路でセンター装置１に送出する（手順Ｓ８）。次に、エレベータ制御盤３は、遠隔監視装置７ヘエレベータ制御盤３と遠隔監視装置７の伝送異常検出機能の停止を指示する伝送異常検出停止指示の信号を送出し（手順Ｓ９）、遠隔監視装置７の制御回路６はエレベータ制御盤インタフェース回路４を介して該伝送異常検出停止指示の信号を受信すると、その時点から以降のエレベータ制御盤３との伝送異常検出を一時停止する。
【００１５】
その後、エレベータ制御盤３はプログラム書換を実行するため自身にリセットをかけ、プログラムを書き換えて該プログラムで動作を再開する（手順Ｓ１０）。再開後に、エレベータ制御盤３は、遠隔監視装置７ヘエレベータ制御盤３と遠隔監視装置７の伝送異常検出機能の開始を指示する伝送異常検出開始指示の信号を送出し（手順Ｓ１１）、遠隔監視装置７の制御回路６はエレベータ制御盤インタフェース回路４を介して該伝送異常検出開始指示の信号を受信すると、その時点にて、エレベータ制御盤３との伝送異常検出を再開する。
【００１６】
以上のように、本実施の形態によれば、プログラム書き換えを実行する前に、エレベータ制御盤３が遠隔監視装置７に対して、エレベータ制御盤３と遠隔監視装置７との間の伝送異常検出を停止する信号を送出し、該プログラム書き換えの実行が完了した後に、伝送異常検出を再開させる信号を遠隔監視装置７に対して送出することにより、該伝送異常検出停止信号の受信時から伝送異常検出開始信号の受信時までの間は、遠隔監視装置７がエレベータ制御盤３との伝送異常を検出する機能を停止させるようにしたので、エレベータ制御盤３がプログラム書き換えを実行するために自身にリセットをかけても、遠隔監視装置７からエレベータ制御盤３との伝送異常通報がセンター装置１に送出されることを未然に防止することができる。これにより、センター装置１においては、伝送断の原因が、プログラムの書き換えによるものではなく、エレベータ制御盤３の異常によるものであることを明確に認知することができる。また、プログラムの書き換え時は通報されなくなったため、無駄な通報で交換機２やセンター装置１を使用してしまうことがなくなり、快適な遠隔監視を行うことができる。
【００１７】
実施の形態２．
また、図３は本発明のエレベータ遠隔監視システムにおける遠隔監視装置の他の実施の形態のフローチャートを示す図であり、これに従ってその動作について説明する。なお、全体の構成については、図１と同一であるため、ここではその説明を省略し、図１を参照することとする。また、図３の動作は、図２の動作の手順Ｓ８以降に行うか、または、図２の動作と平行して同時に行われるものとする。すなわち、本実施の形態においても、図２の手順Ｓ１〜Ｓ８は行われるものとする。
【００１８】
図３に示すように、遠隔監視装置７の制御回路６は、エレベータ制御盤３からエレベータ制御盤インターフェース回路４を介して伝送異常検出停止指示の信号を受信したかを常にチェックし（手順Ｓ１２）、実施の形態１の手順Ｓ９における伝送異常検出停止指示の信号を受信すると、時間を計測するタイマーをスタートするためセットする（手順Ｓ１３）。該タイマーにより時間の計測を行いながら、今度は伝送異常検出開始指示の信号を受信したかをチェックし（手順Ｓ１４）、手順Ｓ１３のタイマーがタイムアウトするまでに実施の形態１の手順Ｓ１１の伝送異常検出開始指示の信号を受信した場合には、該タイマーを停止するためリセットし（手順Ｓ１５）、伝送異常検出を開始する（手順Ｓ１７）。一方、手順Ｓ１３のタイマーがタイムアウトするまでに実施の形態１の手順Ｓ１１の伝送異常検出開始指示の信号を受信しない場合にも（手順Ｓ１６）、タイマーがタイムアウトした時点で、伝送異常検出を開始する（手順Ｓ１７）。
【００１９】
以上のように、本実施の形態は、上述の実施の形態１と同様の効果が得られるとともに、さらに、エレベータ制御盤３から伝送異常検出停止信号を受信すると、遠隔監視装置７は伝送異常を検出する機能を停止するとともに、タイマーにより時間を計測し、一定時間以内に伝送異常開始信号を受信しない場合にも、一定時間が経過したら、自動的にエレベータ制御盤３との伝送異常を検出する機能を開始するようにしたので、エレベータ制御盤３がプログラム書換えを実行するために伝送異常検出機能を停止させた後、何かのトラブル等により伝送異常検出開始信号が遠隔監視装置７に到達しなくても、遠隔監視装置７が一定時間後には伝送異常検出機能を自動的に開始することができる。
【００２０】
【発明の効果】
この発明は、監視対象のエレベータの制御を行うエレベータ制御盤と、上記エレベータ制御盤と遠隔地に設置されたセンター装置との通信の中継を行う遠隔監視装置とを備えたエレベータ監視システムであって、上記エレベータ制御盤は、エレベータを制御するための制御部と、エレベータの異常などを検出して、その異常情報を上記遠隔監視装置に送出する異常検出部と、上記センター装置から上記遠隔監視装置を介して自身のプログラムを書換え実行するプログラム書換部とを備え、上記遠隔監視装置は、上記エレベータ制御盤から上記異常情報を受信した場合に、上記センター装置に送出する異常情報中継部と、上記センター装置から、上記エレベータ制御盤のプログラムを書き換えるために該プログラムを受信した場合に、上記エレベータ制御盤に送出する書換プログラム中継部とを備え、上記エレベータ制御盤が、プログラムの書換えを実行する前に、上記エレベータ制御盤と上記遠隔監視装置との間の伝送異常を検出するための動作を停止させる停止指示信号を上記遠隔監視装置に送出し、該プログラムの書換え完了後に、伝送異常を検出するための上記動作を開始させる開始指示信号を上記遠隔監視装置に送出するエレベータ遠隔監視システムであるので、停止指示信号受信から開始指示信号受信までの間は、遠隔監視装置が、伝送異常を検出するための動作を停止させるので、遠隔でエレベータ制御盤のプログラム書換を実行した時に、それを誤ってエレベータ制御盤と遠隔監視装置間の伝送異常としてセンター装置に誤報されることを防止することができる。
【図面の簡単な説明】
【図１】エレベータ遠隔監視システムの一例を示す構成図である。
【図２】本発明の実施の形態１によるエレベータ遠隔監視システムの遠隔プログラム書き換えの信号の流れを示すタイミング図である。
【図３】本発明の実施の形態２によるエレベータ遠隔監視システムにおける遠隔監視装置の動作の流れを示した流れ図である。
【符号の説明】
１　センター装置、２　交換機、３　エレベータ制御盤、４　エレベータ制御盤インターフェース回路、５　交換機インターフェース回路、６　制御回路、７遠隔監視装置。
【図１】
2004107044.tif 000003
【図２】
2004107044.tif 000004
【図３】
2004107044.tif 000005